(57)【要約】  本願の実施例は無線通信方法、端末装置及び送受信ノードを開示し、該方法は、端末装置が第１時間領域スケジューリングユニットにおいて第１ダウンリンク制御情報を受信することと、前記端末装置が前記第１ダウンリンク制御情報に基づき、前記第１時間領域スケジューリングユニット内における検出待ちの第２ダウンリンク制御情報の情報を取得することと、を含む。本願の実施例の方法、端末装置及び送受信ノードは、端末装置がＰＤＣＣＨを検出する複雑性の低減に役立つ。
2020519080.tif 000002
【特許請求の範囲】
【請求項１】
無線通信方法であって、
端末装置は、第１時間領域スケジューリングユニットにおいて第１ダウンリンク制御情報を受信することと、
前記端末装置は、前記第１ダウンリンク制御情報に基づき、前記第１時間領域スケジューリングユニット内における検出待ちの第２ダウンリンク制御情報の情報を取得することと、を含むことを特徴とする、前記無線通信方法。
【請求項２】
前記第１ダウンリンク制御情報に前記第２ダウンリンク制御情報の情報が含まれ、前記端末装置が前記第１ダウンリンク制御情報に基づき、前記第１時間領域スケジューリングユニット内における検出待ちの第２ダウンリンク制御情報の情報を取得することは、
前記端末装置は、前記第１ダウンリンク制御情報から前記第２ダウンリンク制御情報の情報を取得することを含むことを特徴とする
請求項１に記載の方法。
【請求項３】
前記方法は、更に、
前記端末装置は、前記第２ダウンリンク制御情報の情報に基づき、前記第１時間領域スケジューリングユニットにおいて前記第２ダウンリンク制御情報を検出することを含むことを特徴とする
請求項２に記載の方法。
【請求項４】
前記第２ダウンリンク制御情報の情報は、前記第２ダウンリンク制御情報の検索空間、前記第２ダウンリンク制御情報のアグリゲーションレベル、前記第２ダウンリンク制御情報のリソース位置、前記第２ダウンリンク制御情報のサイズ、前記第２ダウンリンク制御情報のフォーマット、前記第２ダウンリンク制御情報を送受信するためのビーム情報及び前記第２ダウンリンク制御情報の擬似コロケーション情報のうちの少なくとも１つを含むことを特徴とする
請求項１〜３のいずれか１項に記載の方法。
【請求項５】
前記方法は、更に、
前記端末装置は、前記第２ダウンリンク制御情報の情報に基づき、前記第２ダウンリンク制御情報の数Ｎを確定し、Ｎを整数とし、Ｎ≦（Ｍ−１）であり、Ｍが、ネットワーク機器が前記端末装置に予め設定したダウンリンク制御情報の数であり、Ｍを正の整数とすることと、
Ｎが正の整数である場合、前記端末装置は、前記第１時間領域スケジューリングユニットにＮ個の前記第２ダウンリンク制御情報があることを知り、又は
Ｎが０である場合、前記端末装置は、前記第１時間領域スケジューリングユニットに前記第２ダウンリンク制御情報がないことを知ることと、を含むことを特徴とする
請求項１又は２に記載の方法。
【請求項６】
前記第２ダウンリンク制御情報の情報は、前記第２ダウンリンク制御情報の数Ｎ、又は送受信ノードから送信されたダウンリンク制御情報の数（Ｎ＋１）であり、前記送受信ノードから送信されたダウンリンク制御情報は、前記第１ダウンリンク制御情報及び前記第２ダウンリンク制御情報を含むことを特徴とする
請求項５に記載の方法。
【請求項７】
前記方法は、更に、
前記端末装置は、ネットワーク機器から送信された、前記第１時間領域スケジューリングユニットにおいて複数のダウンリンク制御情報を受信するように前記端末装置に指示するための指示情報を受信することを含むことを特徴とする
請求項１〜６のいずれか１項に記載の方法。
【請求項８】
前記第１ダウンリンク制御情報及び前記第２ダウンリンク制御情報は、異なる送受信ノードにより送信されたものであることを特徴とする
請求項１〜７のいずれか１項に記載の方法。
【請求項９】
無線通信方法であって、
第１送受信ノードは、第１時間領域スケジューリングユニットにおいて、第１ダウンリンク制御情報を端末装置に送信し、前記第１ダウンリンク制御情報が、前記端末装置の前記第１時間領域スケジューリングユニット内における検出待ちの第２ダウンリンク制御情報の情報を含み、前記第２ダウンリンク制御情報が、第２ダウンリンクデータに割り当てたダウンリンクリソースを示すことに用いられることを含むことを特徴とする、前記無線通信方法。
【請求項１０】
前記第２ダウンリンク制御情報の情報は前記第２ダウンリンク制御情報の検索空間、前記第２ダウンリンク制御情報のアグリゲーションレベル、前記第２ダウンリンク制御情報のリソース位置、前記第２ダウンリンク制御情報のサイズ、前記第２ダウンリンク制御情報のフォーマット、前記第２ダウンリンク制御情報を送受信するためのビーム情報及び前記第２ダウンリンク制御情報の擬似コロケーション情報のうちの少なくとも１つを含むことを特徴とする
請求項９に記載の方法。
【請求項１１】
前記第２ダウンリンク制御情報の情報は、前記第２ダウンリンク制御情報の数Ｎ、又は少なくとも１つの送受信ノードから送信されたダウンリンク制御情報の数（Ｎ＋１）であり、前記少なくとも１つの送受信ノードは前記第１送受信ノードを含み、Ｎを整数とし、Ｎ≦（Ｍ−１）であり、Ｍが、ネットワーク機器が前記端末装置に予め設定したダウンリンク制御情報の数であり、Ｍを正の整数とすることを特徴とする
請求項９に記載の方法。
【請求項１２】
前記第２ダウンリンク制御情報は、第２送受信ノードにより送信されたものであることを特徴とする
請求項９〜１１のいずれか１項に記載の方法。
【請求項１３】
端末装置であって、
第１時間領域スケジューリングユニットにおいて第１ダウンリンク制御情報を受信するように構成される第１受信ユニットと、
前記第１ダウンリンク制御情報に基づき、前記第１時間領域スケジューリングユニット内における検出待ちの第２ダウンリンク制御情報の情報を取得するように構成される取得ユニットと、を備えることを特徴とする、前記端末装置。
【請求項１４】
前記第１ダウンリンク制御情報に前記第２ダウンリンク制御情報の情報が含まれ、前記取得ユニットは、具体的に、
前記第１ダウンリンク制御情報から前記第２ダウンリンク制御情報の情報を取得するように構成されることを特徴とする
請求項１３に記載の端末装置。
【請求項１５】
前記端末装置は、更に、
前記第２ダウンリンク制御情報の情報に基づき、前記第１時間領域スケジューリングユニットにおいて前記第２ダウンリンク制御情報を検出するように構成される検出ユニットを備えることを特徴とする
請求項１４に記載の端末装置。
【請求項１６】
前記第２ダウンリンク制御情報の情報は前記第２ダウンリンク制御情報の検索空間、前記第２ダウンリンク制御情報のアグリゲーションレベル、前記第２ダウンリンク制御情報のリソース位置、前記第２ダウンリンク制御情報のサイズ、前記第２ダウンリンク制御情報のフォーマット、前記第２ダウンリンク制御情報を送受信するためのビーム情報及び前記第２ダウンリンク制御情報の擬似コロケーション情報のうちの少なくとも１つを含むことを特徴とする
請求項１３〜１５のいずれか１項に記載の端末装置。
【請求項１７】
前記端末装置は、更に、
前記第２ダウンリンク制御情報の情報に基づき、前記第２ダウンリンク制御情報の数Ｎを確定するように構成され、Ｎを整数とし、Ｎ≦（Ｍ−１）であり、Ｍが、ネットワーク機器が前記端末装置に予め設定したダウンリンク制御情報の数であり、Ｍを正の整数とする確定ユニットと、
Ｎが正の整数である場合、前記第１時間領域スケジューリングユニットにＮ個の前記第２ダウンリンク制御情報があること、又は
Ｎが０である場合、前記端末装置が前記第１時間領域スケジューリングユニットに前記第２ダウンリンク制御情報がないことを知るように構成される知悉ユニットと、を備えることを特徴とする
請求項１３又は１４に記載の端末装置。
【請求項１８】
前記第２ダウンリンク制御情報の情報は前記第２ダウンリンク制御情報の数Ｎ、又は送受信ノードから送信されたダウンリンク制御情報の数（Ｎ＋１）であり、前記送受信ノードから送信されたダウンリンク制御情報は前記第１ダウンリンク制御情報及び前記第２ダウンリンク制御情報を含むことを特徴とする
請求項１７に記載の端末装置。
【請求項１９】
前記端末装置は、更に、
ネットワーク機器から送信された、前記第１時間領域スケジューリングユニットにおいて複数のダウンリンク制御情報を受信するように前記端末装置に指示するための指示情報を受信するように構成される第２受信ユニットを備えることを特徴とする
請求項１３〜１８のいずれか１項に記載の端末装置。
【請求項２０】
前記第１ダウンリンク制御情報及び前記第２ダウンリンク制御情報は、異なる送受信ノードにより送信されたものであることを特徴とする
請求項１３〜１９のいずれか１項に記載の端末装置。
【請求項２１】
送受信ノードであって、
前記送受信ノードが第１送受信ノードであり、前記送受信ノードは、
第１時間領域スケジューリングユニットにおいて、第１ダウンリンク制御情報を端末装置に送信するように構成され、第１ダウンリンク制御情報が、前記端末装置の前記第１時間領域スケジューリングユニット内における検出待ちの第２ダウンリンク制御情報の情報を含み、前記第２ダウンリンク制御情報が、第２ダウンリンクデータに割り当てたダウンリンクリソースを示すことに用いられる送信ユニットを備えることを特徴とする、前記送受信ノード。
【請求項２２】
前記第２ダウンリンク制御情報の情報は前記第２ダウンリンク制御情報の検索空間、前記第２ダウンリンク制御情報のアグリゲーションレベル、前記第２ダウンリンク制御情報のリソース位置、前記第２ダウンリンク制御情報のサイズ、前記第２ダウンリンク制御情報のフォーマット、前記第２ダウンリンク制御情報を送受信するためのビーム情報及び前記第２ダウンリンク制御情報の擬似コロケーション情報のうちの少なくとも１つを含むことを特徴とする
請求項２１に記載の送受信ノード。
【請求項２３】
前記第２ダウンリンク制御情報の情報は、前記第２ダウンリンク制御情報の数Ｎ、又は少なくとも１つの送受信ノードから送信されたダウンリンク制御情報の数（Ｎ＋１）であり、前記少なくとも１つの送受信ノードは前記第１送受信ノードを含み、Ｎを整数とし、Ｎ≦（Ｍ−１）であり、Ｍが、ネットワーク機器が前記端末装置に予め設定したダウンリンク制御情報の数であり、Ｍを正の整数とすることを特徴とする
請求項２１に記載の送受信ノード。
【請求項２４】
前記第２ダウンリンク制御情報は、第２送受信ノードにより送信されたものであることを特徴とする請求項２１〜２３のいずれか１項に記載の送受信ノード。
【発明の詳細な説明】
【技術分野】
【０００１】
本願の実施例は通信分野に関し、且つより具体的に、無線通信方法、端末装置及び送受信ノードに関する。
【背景技術】
【０００２】
現在の新無線（ＮＲ：Ｎｅｗ  Ｒａｄｉｏ）又は５Ｇ検討において、端末装置が複数の物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）を受信する可能性があり、各ＰＤＣＣＨがそれぞれ１つの対応するデータの関連情報を示す。同様に、端末装置は複数のＰＤＣＣＨを同時に検出する必要があるため、複雑性がより高い。
【発明の概要】
【発明が解決しようとする課題】
【０００３】
これに鑑みて、本願の実施例は、端末装置がＰＤＣＣＨを検出する複雑性の低減に役立つ無線通信方法、端末装置及び送受信ノードを提供する。
【課題を解決するための手段】
【０００４】
第１態様に係る無線通信方法であって、端末装置が第１時間領域スケジューリングユニットにおいて第１ダウンリンク制御情報を受信することと、該端末装置が該第１ダウンリンク制御情報に基づき、該第１時間領域スケジューリングユニット内における検出待ちの第２ダウンリンク制御情報の情報を取得することと、を含む。
【０００５】
第１ダウンリンク制御情報によって第２ダウンリンク制御情報の情報を取得することにより、端末装置がＰＤＣＣＨを検出する複雑性の低減に役立つ。
【０００６】
好ましくは、本願の実施例において、ネットワーク機器は各ダウンリンク制御情報を他のダウンリンク制御情報に関連付けすることができる。ダウンリンク制御情報のフォーマットサイズを後続のダウンリンク制御情報の数にマッピングすることができ、端末装置はダウンリンク制御情報を受信した後、該ダウンリンク制御情報のフォーマットサイズに基づいて後続のダウンリンク制御情報の数を取得することができる。更にネットワーク機器の送信しようとするすべてのダウンリンク制御情報のフォーマットを同じに設定することができ、そうすると端末装置は第１ダウンリンク制御情報を検出した後、第１ダウンリンク制御情報のフォーマットに基づいて第２ダウンリンク制御情報を検出することができる。
【０００７】
可能な実現方式では、該第１ダウンリンク制御情報に該第２ダウンリンク制御情報の情報が含まれ、該端末装置が該第１ダウンリンク制御情報に基づき、該第１時間領域スケジューリングユニット内における検出待ちの第２ダウンリンク制御情報の情報を取得することは、該端末装置が該第１ダウンリンク制御情報から該第２ダウンリンク制御情報の情報を取得することを含む。
【０００８】
可能な実現方式では、該方法は、更に、該端末装置が該第２ダウンリンク制御情報の情報に基づき、該第１時間領域スケジューリングユニットにおいて該第２ダウンリンク制御情報を検出することを含む。
【０００９】
可能な実現方式では、該第２ダウンリンク制御情報の情報は該第２ダウンリンク制御情報の検索空間、該第２ダウンリンク制御情報のアグリゲーションレベル、該第２ダウンリンク制御情報のリソース位置、該第２ダウンリンク制御情報のサイズ、該第２ダウンリンク制御情報のフォーマット、該第２ダウンリンク制御情報を送受信するためのビーム情報及び該第２ダウンリンク制御情報の擬似コロケーション情報のうちの少なくとも１つを含む。
【００１０】
可能な実現方式では、該方法は、更に、該端末装置が該第２ダウンリンク制御情報の情報に基づき、該第２ダウンリンク制御情報の数Ｎを確定し、Ｎを整数とし、Ｎ≦（Ｍ−１）であり、Ｍが、ネットワーク機器が該端末装置に予め設定したダウンリンク制御情報の数であり、Ｍを正の整数とすることと、Ｎが正の整数である場合、該端末装置が該第１時間領域スケジューリングユニットにＮ個の第２ダウンリンク制御情報があることを知り、又は、Ｎが０である場合、該端末装置が該第１時間領域スケジューリングユニットに該第２ダウンリンク制御情報がないことを知ることと、を含む。
【００１１】
ネットワーク機器が端末装置に送信したダウンリンク制御情報の数はネットワーク機器の設定したダウンリンク制御情報の数より少ない場合、端末装置がブラインド検出を行う複雑性を低減することができるだけでなく、端末装置の消費電力を低減することもできる。
【００１２】
可能な実現方式では、該第２ダウンリンク制御情報の情報は該第２ダウンリンク制御情報の数Ｎ、又は送受信ノードから送信されたダウンリンク制御情報の数（Ｎ＋１）であり、該送受信ノードから送信されたダウンリンク制御情報は該第１ダウンリンク制御情報及び該第２ダウンリンク制御情報を含む。
【００１３】
可能な実現方式では、該方法は、更に、該端末装置が、ネットワーク機器から送信された、該第１時間領域スケジューリングユニットにおいて複数のダウンリンク制御情報を受信するように該端末装置に指示するための指示情報を受信することを含む。
【００１４】
可能な実現方式では、該第１ダウンリンク制御情報及び該第２ダウンリンク制御情報が異なる送受信ノードにより送信されたものである。
【００１５】
第２態様に係る無線通信方法であって、第１送受信ノードが第１時間領域スケジューリングユニットにおいて、第１ダウンリンク制御情報を端末装置に送信し、該第１ダウンリンク制御情報が、該端末装置の該第１時間領域スケジューリングユニット内における検出待ちの第２ダウンリンク制御情報の情報を含み、該第２ダウンリンク制御情報が、第２ダウンリンクデータに割り当てたダウンリンクリソースを示すことに用いられることを含む。
【００１６】
可能な実現方式では、該第２ダウンリンク制御情報の情報は該第２ダウンリンク制御情報の検索空間、該第２ダウンリンク制御情報のアグリゲーションレベル、該第２ダウンリンク制御情報のリソース位置、該第２ダウンリンク制御情報のサイズ、該第２ダウンリンク制御情報のフォーマット、該第２ダウンリンク制御情報を送受信するためのビーム情報及び該第２ダウンリンク制御情報の擬似コロケーション情報のうちの少なくとも１つを含む。
【００１７】
可能な実現方式では、該第２ダウンリンク制御情報の情報は該第２ダウンリンク制御情報の数Ｎ又は少なくとも１つの送受信ノードから送信されたダウンリンク制御情報の数（Ｎ＋１）であり、該少なくとも１つの送受信ノードは該第１送受信ノードを含み、Ｎを整数とし、Ｎ≦（Ｍ−１）であり、Ｍが、ネットワーク機器が該端末装置に予め設定したダウンリンク制御情報の数であり、Ｍを正の整数とする。
【００１８】
可能な実現方式では、該第２ダウンリンク制御情報は、第２送受信ノードにより送信されたものである。
【００１９】
第３態様に係る端末装置であって、上記第１態様又は第１態様の任意の可能な実現方式における方法を実行することに用いられる。具体的に、該端末装置は上記第１態様又は第１態様の任意の可能な実現方式における方法を実行するように構成されるユニットを備える。
【００２０】
第４態様に係る送受信ノードであって、上記第２態様又は第２態様の任意の可能な実現方式における方法を実行することに用いられる。具体的に、該送受信ノードは上記第２態様又は第２態様の任意の可能な実現方式における方法を実行するように構成されるユニットを備える。
【００２１】
第５態様に係る端末装置であって、メモリ、プロセッサ、入力インターフェース及び出力インターフェースを備える。メモリ、プロセッサ、入力インターフェース及び出力インターフェースがバスシステムによって接続される。該メモリが命令を記憶することに用いられ、該プロセッサが該メモリに記憶される命令を実行することに用いられ、上記第１態様又は第１態様の任意の可能な実現方式における方法を実行することに用いられる。
【００２２】
第６態様に係る送受信ノードであって、メモリ、プロセッサ、入力インターフェース及び出力インターフェースを備える。メモリ、プロセッサ、入力インターフェース及び出力インターフェースがバスシステムによって接続される。該メモリが命令を記憶することに用いられ、該プロセッサが該メモリに記憶される命令を実行することに用いられ、上記第２態様又は第２態様の任意の可能な実現方式における方法を実行することに用いられる。
【００２３】
第７態様に係るコンピュータ記憶媒体であって、上記第１態様又は第１態様の任意の可能な実現方式における方法、又は上記第２態様又は第２態様の任意の可能な実現方式における方法における方法を実行するために用いた、上記態様を実行するために設計したプログラムを含むコンピュータソフトウェア命令を記憶することに用いられる。
【００２４】
本願のこれらの態様又は他の態様は以下の実施例の説明において明らかになる。
【図面の簡単な説明】
【００２５】
【図１】図１は本願の実施例の応用シーンの模式図である。
【図２】図２は本願の実施例の無線通信方法の模式的なブロック図である。
【図３】図３は本願の実施例の無線通信方法の他の模式的なブロック図である。
【図４】図４は本願の実施例の端末装置の模式的なブロック図である。
【図５】図５は本願の実施例の送受信ノードの模式的なブロック図である。
【図６】図６は本願の実施例の端末装置の他の模式的なブロック図である。
【図７】図７は本願の実施例の送受信ノードの他の模式的なブロック図である。
【発明を実施するための形態】
【００２６】
以下、本願の実施例の図面を参照しながら、本願の実施例の技術案を明確且つ完全に説明する。
【００２７】
本願の実施例の技術案は様々な通信システム、例えば、モバイル通信用グローバル（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）システム、ユニバーサルモバイルテレコミュニケーションズシステム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波利用アクセスに関する世界的な相互運用（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム又は将来の５Ｇシステム等に適用されてもよいと理解すべきである。
【００２８】
特に、本願の実施例の技術案は非直交多元アクセス技術に基づく様々な通信システム、例えば疎コード多重アクセス（ＳＣＭＡ：Ｓｐａｒｓｅ  Ｃｏｄｅ  Ｍｕｌｔｉｐｌｅ  Ａｃｃｅｓｓ）システム、低密度シグネチャ（ＬＤＳ：Ｌｏｗ  Ｄｅｎｓｉｔｙ  Ｓｉｇｎａｔｕｒｅ）システム等に適用されてもよく、無論、通信分野ではＳＣＭＡシステム及びＬＤＳシステムが他の名称と称されてもよく、更に、本願の実施例の技術案は非直交多元アクセス技術を用いたマルチキャリア伝送システム、例えば非直交多元アクセス技術を用いた直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、フィルタバンクマルチキャリア（ＦＢＭＣ：Ｆｉｌｔｅｒ  Ｂａｎｋ  Ｍｕｌｔｉ−Ｃａｒｒｉｅｒ）、汎用周波数分割多重（ＧＦＤＭ：Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ）、フィルタ直交周波数分割多重（Ｆ−ＯＦＤＭ：Ｆｉｌｔｅｒｅｄ−ＯＦＤＭ）システム等に適用されてもよい。
【００２９】
本願の実施例における端末装置はユーザー装置（ＵＥ：Ｕｓｅｒ  Ｅｑｕｉｐｍｅｎｔ）、アクセス端末、ユーザー要素、加入者局、移動局、トラバーサー、遠隔局、遠隔端末、モバイルデバイス、ユーザー端末、端末、無線通信装置、ユーザーエージェント又はユーザーデバイスを指してもよい。アクセス端末はセルラー方式の電話、コードレスホン、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）局、パーソナルデジタルアシスタント（ＰＤＡ：Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブルデバイス、将来の５Ｇネットワークにおける端末装置又は将来発展する公衆陸上移動網（ＰＬＭＮ：Ｐｕｂｌｉｃ  Ｌａｎｄ  Ｍｏｂｉｌｅ  Ｎｅｔｗｏｒｋ）における端末装置等であってもよく、本願の実施例は制限しない。
【００３０】
本願の実施例におけるネットワーク機器は端末装置と通信する装置であってもよく、該ネットワーク機器はＧＳＭ又はＣＤＭＡにおける基地局（ＢＴＳ：Ｂａｓｅ  Ｔｒａｎｓｃｅｉｖｅｒ  Ｓｔａｔｉｏｎ）であってもよく、ＷＣＤＭＡシステムにおける基地局（ＮＢ：ＮｏｄｅＢ）であってもよく、ＬＴＥシステムにおける発展型基地局（ｅＮＢ又はｅＮｏｄｅＢ：Ｅｖｏｌｕｔｉｏｎａｌ  ＮｏｄｅＢ）であってもよく、更にクラウド無線アクセスネットワーク（ＣＲＡＮ：Ｃｌｏｕｄ  Ｒａｄｉｏ  Ａｃｃｅｓｓ  Ｎｅｔｗｏｒｋ）シーンにおける無線制御装置であってもよく、又は、該ネットワーク機器は中継所、アクセスポイント、車載装置、ウェアラブルデバイス及び将来の５Ｇネットワークにおけるネットワーク機器又は将来発展するＰＬＭＮネットワークにおけるネットワーク機器等であってもよく、本願の実施例は制限しない。
【００３１】
５Ｇシステムにおけるネットワークが従来の３Ｇ及び４Ｇシステムと異なり、５Ｇは複数の周波数（高周波数・低周波数及び未認証の周波数帯）であって、複数層が重なり（例えば、マクロセル＋マイクロセル）、多重接続を実現するとき、ＵＥからネットワークまでの接続が複数の周波数における複数の送受信ノードによって実現される。図１に示すように、図１における通信システムは端末装置１０及びネットワーク機器２０を備えてもよく、ネットワーク機器２０は第１送受信ノード（ＴＲＰ：Ｔｒａｎｓｍｉｓｓｉｏｎ  ａｎｄ  Ｒｅｃｅｐｔｉｏｎ  Ｐｏｉｎｔ）２１及び第２ＴＲＰ２２を備える。ネットワーク機器２０は端末装置１０に通信サービスを提供してコアネットワークにアクセスすることに用いられ、端末装置１０はネットワーク機器２０から送信された同期信号、放送信号等を検索することによりネットワークにアクセスし、それによりネットワークと通信する。図１に示される矢印は端末装置１０とネットワーク機器２０との間のセルラーリンクによるアップリンク／ダウンリンク伝送を示してもよい。
【００３２】
従来の５Ｇ／ＮＲ検討において、端末装置が１つの時間領域スケジューリングユニットにおいて複数の物理ダウンリンク制御チャネル（ＰＤＣＣＨ：Ｐｈｙｓｉｃａｌ  ｄｏｗｎｌｉｎｋ  ｃｏｎｔｒｏｌ  ｃｈａｎｎｅｌ）を受信した可能性があり、各ＰＤＣＣＨが１つの対応するデータの関連情報、例えば、対応するデータの占有したリソース位置又は伝送フォーマット等を示してもよい。端末装置は対応する時間領域スケジューリングユニットにおいてそれに属する複数のＰＤＣＣＨをブラインド検出する必要があり、複数のＰＤＣＣＨをブラインド検出する複雑性を低減するために、処理を最適化する必要がある。
【００３３】
後続の説明の都合上、ここでＰＤＣＣＨブラインド検出過程を簡単に説明する。具体的に、端末装置が一般的に現在のＰＤＣＣＨの占有した制御チャネル要素（ＣＣＥ：Ｃｏｎｔｒｏｌ  Ｃｈａｎｎｅｌ  Ｅｌｅｍｅｎｔ）の数サイズ、どのようなダウンリンク制御情報（ＤＣＩ：Ｄｏｗｎｌｉｎｋ  Ｃｏｎｔｒｏｌ  Ｉｎｆｏｒｍａｔｉｏｎ）フォーマットの情報を伝送したかを知らず、必要な情報がどの位置にあるかも知らない。しかしながら、端末装置はその現在期待する情報が何であるか、例えばアイドルＩｄｌｅ状態にある端末装置の期待する情報がページングメッセージであり、送信すべきアップリンクデータ等がある場合に期待するのがアップリンクグラント等であることを知る。異なる期待する情報に対して、端末装置は対応する無線ネットワーク一時識別子（ＲＮＴＩ：Ｒａｄｉｏ  Ｎｅｔｗｏｒｋ  Ｔｅｍｐｏｒａｒｙ  Ｉｄｅｎｔｉｆｉｅｒ）を用いてＣＣＥ情報と巡回冗長検査を行い、巡回冗長検査に成功した場合、端末装置はこの情報が必要なものであることを知り、更に対応するＤＣＩフォーマット及び変調方式を知ることもでき、それによりＤＣＩ内容を取得する。以上は所謂のブラインド検出過程である。
【００３４】
図２は本願の実施例の無線通信方法１００の模式的なブロック図である。図２に示すように、該方法１００は、
端末装置が第１時間領域スケジューリングユニットにおいて第１ダウンリンク制御情報を受信するＳ１１０と、
該端末装置が該第１ダウンリンク制御情報に基づき、該第１時間領域スケジューリングユニット内における検出待ちの第２ダウンリンク制御情報の情報を取得するＳ１２０と、を含む。
【００３５】
ダウンリンク制御情報は物理ダウンリンク制御チャネルＰＤＣＣＨに含まれ、ネットワーク機器が端末装置へ送信した制御情報であり、端末装置のデータをスケジューリングすることに用いられ、主にアップリンク／ダウンリンクデータのリソース割り当て、ハイブリッド自動再送要求（ＨＡＲＱ：Ｈｙｂｒｉｄ  Ａｕｔｏｍａｔｉｃ  Ｒｅｐｅａｔ  ｒｅＱｕｅｓｔ）情報、電力制御情報等を含む。無線通信の発展に伴い、ネットワーク機器が１つの時間領域スケジューリングユニットにおいて複数のＰＤＣＣＨを設定する可能性があるが、この複数のＰＤＣＣＨに含まれるダウンリンク制御情報が異なるデータを示すためのスケジューリング情報であってもよい。端末装置がＰＤＣＣＨをブラインド検出する複雑性を低減するために、同じ時間領域スケジューリングユニット内の複数のＰＤＣＣＨを関連付けすることができる。例えば、各ダウンリンク制御情報には他のダウンリンク制御情報の情報を示すための情報をいくつか設定する。このように、端末装置は第１ダウンリンク制御情報を検出した後、第２ダウンリンク制御情報のいくつかの情報を更に取得することができ、それにより端末装置はブラインド検出の複雑性を低減することができる。
【００３６】
好ましくは、本願の実施例において、ネットワーク機器は各ダウンリンク制御情報を他のダウンリンク制御情報に関連付けすることができる、例えば、ダウンリンク制御情報のフォーマットサイズを後続のダウンリンク制御情報の数にマッピングすることができる。具体的に、ダウンリンク制御情報のビット数が５ｂｉｔである場合、後続のダウンリンク制御情報の数が０であることを示し、ダウンリンク制御情報のビット数が６ｂｉｔである場合、後続のダウンリンク制御情報の数が１である等を示す。そうすると端末装置はダウンリンク制御情報を受信した後、該ダウンリンク制御情報のフォーマットサイズに基づいて後続のダウンリンク制御情報の数を取得することができる。更に、例えば、ネットワーク機器の送信しようとするすべてのダウンリンク制御情報のフォーマットを同じに設定することができ、そうすると端末装置は第１ダウンリンク制御情報を検出した後、第１ダウンリンク制御情報のフォーマットに基づいて第２ダウンリンク制御情報を検出することができる。
【００３７】
好ましくは、本願の実施例において、該第１ダウンリンク制御情報に該第２ダウンリンク制御情報の情報が含まれ、該端末装置が該第１ダウンリンク制御情報に基づき、該第１時間領域スケジューリングユニット内における検出待ちの第２ダウンリンク制御情報の情報を取得することは、該端末装置が該第１ダウンリンク制御情報から該第２ダウンリンク制御情報の情報を取得することを含む。
【００３８】
具体的に、各ダウンリンク制御情報には第２ダウンリンク制御情報の情報を示すための専用のビットを設定してもよく、例えば、第２ダウンリンク制御情報のフォーマット又は第２ダウンリンク制御情報のリソース位置等を示すための４つのビットを設定してもよく、又は、第２ダウンリンク制御情報の数を示すための専用のビットを設定してもよい。
【００３９】
好ましくは、本願の実施例において、該方法は、更に、該端末装置が該第２ダウンリンク制御情報の情報に基づき、該第１時間領域スケジューリングユニットにおいて該第２ダウンリンク制御情報を検出することを含む。
【００４０】
第１ダウンリンク制御情報に含まれるのが第２ダウンリンク制御情報の情報である場合、端末装置が取得した後、第１スケジューリングユニットにおいて第２ダウンリンク制御情報を検出する。具体的に、該第２ダウンリンク制御情報の情報は該第２ダウンリンク制御情報の検索空間、該第２ダウンリンク制御情報のアグリゲーションレベル、該第２ダウンリンク制御情報のリソース位置、該第２ダウンリンク制御情報のサイズ、該第２ダウンリンク制御情報のフォーマット、該第２ダウンリンク制御情報を送受信するためのビーム情報及び該第２ダウンリンク制御情報の擬似コロケーション情報のうちの少なくとも１つを含むが、それらに限らない。
【００４１】
以上は端末装置がＰＤＣＣＨをブラインド検出する過程を説明したが、端末装置がＣＣＥの順序で順に検索する場合、端末装置の計算量がより大きく、特に帯域幅がより広く、ＣＣＥ数がより多いシステムの場合はなおさらである。このため、プロトコルでは検索空間の概念を定義し、システムにおける異なるフォーマットのＰＤＣＣＨの可能な安置位置を制限した。各異なるフォーマットのＰＤＣＣＨが異なる検索空間に対応する。つまり、第１ダウンリンク制御情報に第２ダウンリンク制御情報の検索空間が含まれる場合、端末装置は第２ダウンリンク制御情報の安置位置を取得することができ、それにより端末装置がブラインド検出を行う複雑性を低減する。
【００４２】
一般的に、１つのＰＤＣＣＨチャネルに含まれるＣＣＥの数がＣＣＥのアグリゲーションレベルと呼ばれ、例えば１、２、４、８つの連続したＣＣＥであってもよい。つまり、第１ダウンリンク制御情報に第２ダウンリンク制御情報のアグリゲーションレベルが含まれる場合、端末装置が、第２ダウンリンク制御情報を搬送するＰＤＣＣＨに含まれるＣＣＥ数を知ることができ、端末装置が第２ダウンリンク制御情報をブラインド検出する複雑性を低減させる。
【００４３】
又は、第１ダウンリンク制御情報に第２ダウンリンク制御情報の占有したリソース位置が含まれる場合、端末装置は時間領域スケジューリングユニットの制御リソース領域全体においてブラインド検出を行わずに、第１ダウンリンク制御情報に含まれる第２ダウンリンク制御情報の情報に示される位置で第２ダウンリンク制御情報を直接受信することができる。
【００４４】
また、第１ダウンリンク制御情報に第２ダウンリンク制御情報の該第２ダウンリンク制御情報のサイズ、該第２ダウンリンク制御情報のフォーマット、該第２ダウンリンク制御情報を送受信するためのビーム情報及び該第２ダウンリンク制御情報の擬似コロケーション情報等が含まれる場合、同様に、端末装置は第２ダウンリンク制御情報のこれらの情報を事前に知ることができ、それにより第２ダウンリンク制御情報を検出する複雑性を低減させることができる。
【００４５】
好ましくは、本願の実施例において、該方法は、更に、該端末装置が該第２ダウンリンク制御情報の情報に基づき、該第２ダウンリンク制御情報の数Ｎを確定し、Ｎを整数とし、Ｎ≦（Ｍ−１）であり、Ｍが、ネットワーク機器が該端末装置に予め設定したダウンリンク制御情報の数であり、Ｍを正の整数とすることと、Ｎが正の整数である場合、該端末装置が該第１時間領域スケジューリングユニットにＮ個の第２ダウンリンク制御情報があることを知り、又は、Ｎが０である場合、該端末装置が該第１時間領域スケジューリングユニットに該第２ダウンリンク制御情報がないことを知ることと、を含む。
【００４６】
具体的に、端末装置は取得された第２ダウンリンク制御情報の情報に基づき、第２ダウンリンク制御情報の数を確定し、又は、後続に第２ダウンリンク制御情報があるかどうかを確定することができる。従って、ネットワーク機器が端末装置に送信したダウンリンク制御情報の数はネットワーク機器の設定したダウンリンク制御情報の数より少ない場合、端末装置がブラインド検出を行う複雑性を低減することができるだけでなく、端末装置の消費電力を低減することもできる。
【００４７】
一般的に、ネットワーク機器が端末装置にダウンリンク制御情報の数を予め設定し、又は端末装置とネットワーク機器とがダウンリンク制御情報の数を協議し、そうすると端末装置はこの数に応じてダウンリンク制御情報をブラインド検出することができる。ネットワーク機器がある時間領域スケジューリングユニットにおいて送信したダウンリンク制御情報はネットワークの予め設定した数又はプロトコルに規定された数より少ない場合、端末装置は複数回ブラインド検出する必要がなく、従って、端末がブラインド検出を行う複雑性を低減することができる。例えば、ネットワーク機器の予め設定した数が５つであるが、ある時間領域スケジューリングユニットにおいてネットワークが実際に端末装置へ送信したダウンリンク制御情報は３つである場合、端末装置は３つのダウンリンク制御情報を検出すればよく、最後の２つを検出する必要がない。更に、例えば、ネットワーク機器が１つのみのダウンリンク制御情報を送信したように設定される場合、端末装置が該ダウンリンク制御情報を検出した後、後続の検出を停止する。
【００４８】
好ましくは、該第２ダウンリンク制御情報の情報は該第２ダウンリンク制御情報の数Ｎ、又は送受信ノードから送信されたダウンリンク制御情報の数（Ｎ＋１）であり、該送受信ノードから送信されたダウンリンク制御情報は該第１ダウンリンク制御情報及び該第２ダウンリンク制御情報を含む。
【００４９】
つまり、第２ダウンリンク制御情報の数を確定するための情報は第１ダウンリンク制御情報以外の第２ダウンリンク制御情報の数であってもよいし、すべてのネットワーク機器から送信されたすべてのダウンリンク制御情報の数であってもよく、このようにすれば、端末装置はすべての数に基づいて第２ダウンリンク制御情報の数を計算することができる。
【００５０】
例えば、第２ダウンリンク制御情報の情報は全部でネットワーク機器がＸ個のＰＤＣＣＨを送信したことを示す。従って、１つのＰＤＣＣＨを受信したが、１つのＰＤＣＣＨを示す場合、ＵＥは２番目のＰＤＣＣＨを検出してみる必要がなく、１つのＰＤＣＣＨを受信したが、２つのＰＤＣＣＨを示す場合、ＵＥは２番目のＮＲ−ＰＤＣＣＨを検出してみるとき、検出に失敗すれば、ネットワークへＮＡＣＫをフィードバックすることができる。
【００５１】
更に、例えば、第２ダウンリンク制御情報の情報はネットワーク機器がそのもの以外のＹ個のＰＤＣＣＨを送信したことを示す。従って、１つのＰＤＣＣＨを受信したが、更に０個のＰＤＣＣＨがあることを示す場合、ＵＥは２番目のＰＤＣＣＨを検出してみる必要がなく、１つのＰＤＣＣＨを受信したが、更に１つのＰＤＣＣＨがあることを示す場合、ＵＥは２番目のＰＤＣＣＨを検出してみるとき、検出に失敗すれば、ネットワークへＮＡＣＫをフィードバックすることができる。
【００５２】
好ましくは、本願の実施例において、該方法は、更に、該端末装置が、ネットワーク機器から送信された、該第１時間領域スケジューリングユニットにおいて複数のダウンリンク制御情報を受信するように該端末装置に指示するための指示情報を受信することを含む。
【００５３】
具体的に、ネットワークは設定によって端末装置に対し、１つのＰＤＣＣＨを受信するモードから複数のＰＤＣＣＨを受信するモードに切り替えるモード１、複数のＰＤＣＣＨを検出するモード２に入るように指示することができ、モード１のみにおいて端末装置が上記解決手段を用いると確定する。例えば、ネットワーク機器は１つのｂｉｔでマルチＰＤＣＣＨモードであるかどうかを示してもよく、該ｂｉｔが０である場合、シングルＰＤＣＣＨモードであることを示してもよく、該ｂｉｔが１である場合、マルチＰＤＣＣＨモードであることを示してもよい等が挙げられる。
【００５４】
好ましくは、本願の実施例において、該第１ダウンリンク制御情報及び該第２ダウンリンク制御情報が異なる送受信ノードにより送信されたものである。一般的に、上記複数のＰＤＣＣＨが複数のＴＲＰにより伝送されたものであり、同じＴＲＰにより伝送されたものであってもよく、本願の実施例はこれに限らない。
【００５５】
ＴＲＰは上記ネットワーク機器、例えば基地局であってもよいし、マイクロセル、ホットスポット等であってもよく、本願の実施例のＴＲＰは端末装置にネットワークサービスを提供する装置であればよいと理解すべきである。
【００５６】
図３は本願の実施例の無線通信方法２００の模式的なブロック図である。図３に示すように、該方法２００は、
第１送受信ノードが第１時間領域スケジューリングユニットにおいて、第１ダウンリンク制御情報を端末装置に送信し、該第１ダウンリンク制御情報が、該端末装置の該第１時間領域スケジューリングユニット内における検出待ちの第２ダウンリンク制御情報の情報を含み、該第２ダウンリンク制御情報が、第２ダウンリンクデータに割り当てたダウンリンクリソースを示すことに用いられるＳ２１０を含む。
【００５７】
従って、本願の実施例の無線通信方法は端末装置がＰＤＣＣＨを検出する複雑性の低減に役立つ。
【００５８】
好ましくは、本願の実施例において、該第２ダウンリンク制御情報の情報は該第２ダウンリンク制御情報の検索空間、該第２ダウンリンク制御情報のアグリゲーションレベル、該第２ダウンリンク制御情報のリソース位置、該第２ダウンリンク制御情報のサイズ、該第２ダウンリンク制御情報のフォーマット、該第２ダウンリンク制御情報を送受信するためのビーム情報及び該第２ダウンリンク制御情報の擬似コロケーション情報のうちの少なくとも１つを含む。
【００５９】
好ましくは、本願の実施例において、該第２ダウンリンク制御情報の情報は該第２ダウンリンク制御情報の数Ｎ又は少なくとも１つの送受信ノードから送信されたダウンリンク制御情報の数（Ｎ＋１）であり、該少なくとも１つの送受信ノードは該第１送受信ノードを含み、Ｎを整数とし、Ｎ≦（Ｍ−１）であり、Ｍが、ネットワーク機器が該端末装置に予め設定したダウンリンク制御情報の数であり、Ｍを正の整数とする。
【００６０】
好ましくは、本願の実施例において、該第２ダウンリンク制御情報は、第２送受信ノードにより送信されたものである。
【００６１】
ネットワーク機器に説明されたネットワーク機器及び端末装置の対話及び関連特性、機能等は端末装置の関連特性、機能に対応すると理解すべきである。つまり、端末装置がネットワーク機器へどの情報を送信し、それに対応して、ネットワーク機器がどの情報を受信する。簡潔のため、詳細な説明は省略する。
【００６２】
本願の様々な実施例において、上記各過程の番号の順位は実行順序の前後を意味せず、各過程の実行順序はその機能及び内部論理によって確定されるべきであり、本願の実施例の実施過程を制限するためのものではないと更に理解すべきである。
【００６３】
図４は本願の実施例の無線通信のための端末装置３００の模式的なブロック図である。図４に示すように、該端末装置３００は、
第１時間領域スケジューリングユニットにおいて第１ダウンリンク制御情報を受信するように構成される第１受信ユニット３１０と、
該第１ダウンリンク制御情報に基づき、該第１時間領域スケジューリングユニット内における検出待ちの第２ダウンリンク制御情報の情報を取得するように構成される取得ユニット３２０と、を備える。
【００６４】
従って、本願の実施例の無線通信のための端末装置は端末装置がＰＤＣＣＨを検出する複雑性の低減に役立つ。
【００６５】
好ましくは、本願の実施例において、該第１ダウンリンク制御情報に該第２ダウンリンク制御情報の情報が含まれ、該取得ユニット３２０は、具体的に、該第１ダウンリンク制御情報から該第２ダウンリンク制御情報の情報を取得することに用いられる。
【００６６】
好ましくは、本願の実施例において、該端末装置３００は、更に、該第２ダウンリンク制御情報の情報に基づき、該第１時間領域スケジューリングユニットにおいて該第２ダウンリンク制御情報を検出するように構成される検出ユニット３３０を備える。
【００６７】
好ましくは、本願の実施例において、該第２ダウンリンク制御情報の情報は該第２ダウンリンク制御情報の検索空間、該第２ダウンリンク制御情報のアグリゲーションレベル、該第２ダウンリンク制御情報のリソース位置、該第２ダウンリンク制御情報のサイズ、該第２ダウンリンク制御情報のフォーマット、該第２ダウンリンク制御情報を送受信するためのビーム情報及び該第２ダウンリンク制御情報の擬似コロケーション情報のうちの少なくとも１つを含む。
【００６８】
好ましくは、本願の実施例において、該端末装置３００は、更に、該第２ダウンリンク制御情報の情報に基づき、該第２ダウンリンク制御情報の数Ｎを確定し、Ｎを整数とし、Ｎ≦（Ｍ−１）であり、Ｍが、ネットワーク機器が該端末装置に予め設定したダウンリンク制御情報の数であり、Ｍを正の整数とするように構成される確定ユニット３４０と、Ｎが正の整数である場合、該第１時間領域スケジューリングユニットにＮ個の第２ダウンリンク制御情報があることを知り、又は、Ｎが０である場合、該第１時間領域スケジューリングユニットに該第２ダウンリンク制御情報がないことを知るように構成される知悉ユニット３５０と、を備える。
【００６９】
好ましくは、本願の実施例において、該第２ダウンリンク制御情報の情報は該第２ダウンリンク制御情報の数Ｎ、又は送受信ノードから送信されたダウンリンク制御情報の数（Ｎ＋１）であり、該送受信ノードから送信されたダウンリンク制御情報は該第１ダウンリンク制御情報及び該第２ダウンリンク制御情報を含む。
【００７０】
好ましくは、本願の実施例において、該端末装置３００は、更に、ネットワーク機器から送信された、該第１時間領域スケジューリングユニットにおいて複数のダウンリンク制御情報を受信するように該端末装置に指示するための指示情報を受信するように構成される第２受信ユニット３６０を備える。
【００７１】
好ましくは、本願の実施例において、該第１ダウンリンク制御情報及び該第２ダウンリンク制御情報が異なる送受信ノードにより送信されたものである。
【００７２】
本願の実施例に係る無線通信のための端末装置３００は本願の方法実施例における端末装置に対応してもよく、且つ、端末装置３００における各ユニットの上記及び他の操作及び／又は機能はそれぞれ図２における方法の端末装置の対応プロセスを実現するためのものであり、簡潔のため、詳細な説明は省略すると理解すべきである。
【００７３】
図５は本願の実施例の送受信ノード４００の模式的なブロック図である。図５に示すように、該送受信ノード４００は、
第１時間領域スケジューリングユニットにおいて、第１ダウンリンク制御情報を端末装置に送信するように構成され、該第１ダウンリンク制御情報が、該端末装置の該第１時間領域スケジューリングユニット内における検出待ちの第２ダウンリンク制御情報の情報を含み、該第２ダウンリンク制御情報が、第２ダウンリンクデータに割り当てたダウンリンクリソースを示すことに用いられる送信ユニット４１０を備える。
【００７４】
従って、本願の実施例の送受信ノードは端末装置がＰＤＣＣＨを検出する複雑性の低減に役立つ。
【００７５】
好ましくは、本願の実施例において、該第２ダウンリンク制御情報の情報は該第２ダウンリンク制御情報の検索空間、該第２ダウンリンク制御情報のアグリゲーションレベル、該第２ダウンリンク制御情報のリソース位置、該第２ダウンリンク制御情報のサイズ、該第２ダウンリンク制御情報のフォーマット、該第２ダウンリンク制御情報を送受信するためのビーム情報及び該第２ダウンリンク制御情報の擬似コロケーション情報のうちの少なくとも１つを含む。
【００７６】
好ましくは、本願の実施例において、該第２ダウンリンク制御情報の情報は該第２ダウンリンク制御情報の数Ｎ又は少なくとも１つの送受信ノードから送信されたダウンリンク制御情報の数（Ｎ＋１）であり、該少なくとも１つの送受信ノードは該第１送受信ノードを含み、Ｎを整数とし、Ｎ≦（Ｍ−１）であり、Ｍが、ネットワーク機器が該端末装置に予め設定したダウンリンク制御情報の数であり、Ｍを正の整数とする。
【００７７】
好ましくは、本願の実施例において、該第２ダウンリンク制御情報は、第２送受信ノードにより送信されたものである。
【００７８】
本願の実施例に係る送受信ノード４００は本願の方法実施例における送受信ノードに対応してもよく、且つ、送受信ノード４００における各ユニットの上記及び他の操作及び／又は機能はそれぞれ図３における方法のネットワーク機器の対応プロセスを実現するためのものであり、簡潔のため、詳細な説明は省略すると理解すべきである。
【００７９】
図６に示すように、本願の実施例は更に端末装置５００を提供し、該端末装置５００は図２における方法１００に対応する端末装置の内容を実行することができる図５における端末装置３００であってもよい。該端末装置５００は入力インターフェース５１０、出力インターフェース５２０、プロセッサ５３０及びメモリ５４０を備え、該入力インターフェース５１０、出力インターフェース５２０、プロセッサ５３０及びメモリ５４０がバスシステムによって接続されてもよい。該メモリ５４０がプログラム、命令又はコードを記憶することに用いられる。入力インターフェース５１０が信号を受信し、出力インターフェース５２０が信号を送信し及び上記方法実施例における操作を完了するように制御するために、該プロセッサ５３０が該メモリ５４０におけるプログラム、命令又はコードを実行することに用いられる。
【００８０】
従って、本願の実施例の端末装置は端末装置がＰＤＣＣＨを検出する複雑性の低減に役立つ。
【００８１】
本願の実施例において、該プロセッサ５３０は中央処理装置（ＣＰＵ：Ｃｅｎｔｒａｌ  Ｐｒｏｃｅｓｓｉｎｇ  Ｕｎｉｔ）であってもよく、該プロセッサ５３０は更に他の汎用プロセッサ、デジタル信号プロセッサ、特定用途向け集積回路、フィールドプログラマブルゲートアレイ又は他のプログラマブルロジックデバイス、個別ゲート又はトランジスタロジックデバイス、個別ハードウェアコンポーネント等であってもよいと理解すべきである。汎用プロセッサはマイクロプロセッサであってもよく、又は該プロセッサは更にいかなる通常のプロセッサ等であってもよい。
【００８２】
該メモリ５４０は読み出し専用メモリ及びランダムアクセスメモリを含んでもよく、且つプロセッサ５３０に命令及びデータを提供する。メモリ５４０の一部は更に不揮発性ランダムアクセスメモリを含んでもよい。例えば、メモリ５４０に更に装置タイプの情報が記憶されてもよい。
【００８３】
実現過程において、上記方法の各内容はプロセッサ５３０におけるハードウェアの集積論理回路又はソフトウェア形式の命令で完了してもよい。本願の実施例に開示される方法の内容はハードウェアプロセッサで実行して完了し、又はプロセッサにおけるハードウェア及びソフトウェアモジュールの組み合わせで実行して完了すると直接具現されてもよい。ソフトウェアモジュールがランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体がメモリ５４０に位置し、プロセッサ５３０がメモリ５４０における情報を読み取り、そのハードウェアと組み合わせて上記方法の内容を完了する。重複を避けるため、詳細な説明は省略する。
【００８４】
１つの具体的な実施形態において、端末装置３００における取得ユニット３２０、検出ユニット３３０、確定ユニット３４０及び知悉ユニット３５０が図６におけるプロセッサ５３０により実現されてもよく、端末装置３００における第１受信ユニット３１０及び第２受信ユニット３６０が図６における入力インターフェース５１０により実現されてもよい。
【００８５】
図７に示すように、本願の実施例は更に送受信ノード６００を提供し、該送受信ノード６００は図３における方法２００に対応する送受信ノードの内容を実行することができる図５における送受信ノード４００であってもよい。該送受信ノード６００は入力インターフェース６１０、出力インターフェース６２０、プロセッサ６３０及びメモリ６４０を備え、該入力インターフェース６１０、出力インターフェース６２０、プロセッサ６３０及びメモリ６４０がバスシステムによって接続されてもよい。該メモリ６４０がプログラム、命令又はコードを記憶することに用いられる。入力インターフェース６１０が信号を受信し、出力インターフェース６２０が信号を送信し及び上記方法実施例における操作を完了するように制御するために、該プロセッサ６３０が該メモリ６４０におけるプログラム、命令又はコードを実行することに用いられる。
【００８６】
従って、本願の実施例の送受信ノードは端末装置がＰＤＣＣＨを検出する複雑性の低減に役立つ。
【００８７】
本願の実施例において、該プロセッサ６３０は中央処理装置（ＣＰＵ：Ｃｅｎｔｒａｌ  Ｐｒｏｃｅｓｓｉｎｇ  Ｕｎｉｔ）であってもよく、該プロセッサ６３０は更に他の汎用プロセッサ、デジタル信号プロセッサ、特定用途向け集積回路、フィールドプログラマブルゲートアレイ又は他のプログラマブルロジックデバイス、個別ゲート又はトランジスタロジックデバイス、個別ハードウェアコンポーネント等であってもよいと理解すべきである。汎用プロセッサはマイクロプロセッサであってもよく、又は該プロセッサは更にいかなる通常のプロセッサ等であってもよい。
【００８８】
該メモリ６４０は読み出し専用メモリ及びランダムアクセスメモリを含んでもよく、且つプロセッサ６３０に命令及びデータを提供する。メモリ６４０の一部は更に不揮発性ランダムアクセスメモリを含んでもよい。例えば、メモリ６４０に更に装置タイプの情報が記憶されてもよい。
【００８９】
実現過程において、上記方法の各内容はプロセッサ６３０におけるハードウェアの集積論理回路又はソフトウェア形式の命令で完了してもよい。本願の実施例に開示される方法の内容はハードウェアプロセッサで実行して完了し、又は用プロセッサにおけるハードウェア及びソフトウェアモジュールの組み合わせで実行して完了すると直接具現されてもよい。ソフトウェアモジュールがランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体がメモリ６４０に位置し、プロセッサ６３０がメモリ６４０における情報を読み取り、そのハードウェアと組み合わせて上記方法の内容を完了する。重複を避けるため、詳細な説明は省略する。
【００９０】
１つの具体的な実施形態において、送受信ノード４００における送信ユニット４１０が図７における出力インターフェース６２０により実現されてもよい。
【００９１】
本願の実施例は更にコンピュータ可読記憶媒体を提供し、該コンピュータ可読記憶媒体に１つの又は複数のプログラムが記憶され、該１つの又は複数のプログラムが命令を含み、該命令が複数のアプリケーションプログラムを含む携帯電子機器により実行されるとき、該携帯電子機器は図２又は図３に示される実施例の方法を実行することができる。
【００９２】
本願の実施例は更にコンピュータプログラムを提供し、該コンピュータプログラムが命令を含み、該コンピュータプログラムがコンピュータにより実行されるとき、コンピュータは図２又は図３に示される実施例の方法の対応プロセスを実行することができる。
【００９３】
当業者であれば、本明細書に開示される実施例を参照して説明した各例示的なユニット及びアルゴリズムステップは、電子ハードウェア、又はコンピュータソフトウェア及び電子ハードウェアの組み合わせで実現されてもよいと理解される。これらの機能をハードウェア又はソフトウェア方式で実行するかは、技術案の特定応用及び設計制約条件によって確定される。当業者は各特定応用に対して異なる方法で説明される機能を実現することができるが、このような実現は本願の範囲を超えると見なされるべきではない。
【００９４】
当業者であれば、説明を容易且つ簡単にするために、上記説明されるシステム、装置及びユニットの具体的な動作過程は、上記方法実施例における対応過程を参照してもよく、ここで詳細な説明は省略すると明確に理解される。
【００９５】
本願に係るいくつかの実施例において、開示されるシステム、装置及び方法は他の方式で実現されてもよいと理解すべきである。例えば、以上に説明される装置実施例は模式的なものに過ぎず、例えば、該ユニットの区別は論理機能上の区別に過ぎず、実際に実現するとき、他の区別方式を用いてもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【００９６】
分離部材として説明される該ユニットは物理的に分離してもよいし、物理的に分離しなくてもよく、ユニットとして表示される部材は物理ユニットであってもよいし、物理ユニットでなくてもよく、つまり、一箇所に位置してもよいし、複数のネットワークユニットに配置されてもよい。実際の必要に応じて、その一部又は全部のユニットを選択して本実施例案の目的を実現してもよい。
【００９７】
また、本発明の各実施例において、各機能ユニットは１つの処理ユニットに統合されてもよく、各ユニットは独立して物理的に存在してもよく、２つ又は２つ以上のユニットは１つのユニットに統合されてもよい。
【００９８】
該機能はソフトウェア機能ユニットの形式で実現され、且つ独立した製品として販売又は使用されるとき、１つのコンピュータ可読記憶媒体に記憶されてもよい。このような理解に基づき、本願の技術案の本質又は従来技術に貢献する部分、又は該技術案の一部はソフトウェア製品の形式で具現されてもよく、該コンピュータソフトウェア製品は、１台のコンピュータ装置（パーソナルコンピュータ、サーバ又はネットワーク機器等であってもよい）に本願の各実施例の該方法の全部又は一部のステップを実行させるための複数の命令を含む１つの記憶媒体に記憶される。そして、上記記憶媒体はＵＳＢメモリ、ポータブルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる様々な媒体を含む。
【００９９】
以上の説明は本願の具体的な実施形態であって、本願の保護範囲を制限するためのものではなく、当業者が本願に開示される技術的範囲内に容易に想到し得る変更や置換は、いずれも本願の保護範囲内に含まれるべきである。従って、本願の保護範囲は特許請求の範囲に準じるべきである。
【図１】
2020519080.tif 000003
【図２】
2020519080.tif 000004
【図３】
2020519080.tif 000005
【図４】
2020519080.tif 000006
【図５】
2020519080.tif 000007
【図６】
2020519080.tif 000008
【図７】
2020519080.tif 000009
【手続補正書】
【提出日】令和2年4月2日(2020.4.2)
【手続補正１】
【補正対象書類名】特許請求の範囲
【補正対象項目名】全文
【補正方法】変更
【補正の内容】
【特許請求の範囲】
【請求項１】
無線通信方法であって、
端末装置は、第１時間領域スケジューリングユニットにおいて第１ダウンリンク制御情報を受信することと、
前記端末装置は、前記第１ダウンリンク制御情報に基づき、前記第１時間領域スケジューリングユニット内における検出待ちの第２ダウンリンク制御情報の情報を取得することと、を含むことを特徴とする、前記無線通信方法。
【請求項２】
前記第１ダウンリンク制御情報に前記第２ダウンリンク制御情報の情報が含まれ、前記端末装置が前記第１ダウンリンク制御情報に基づき、前記第１時間領域スケジューリングユニット内における検出待ちの第２ダウンリンク制御情報の情報を取得することは、
前記端末装置は、前記第１ダウンリンク制御情報から前記第２ダウンリンク制御情報の情報を取得することを含むことを特徴とする
請求項１に記載の方法。
【請求項３】
前記方法は、更に、
前記端末装置は、前記第２ダウンリンク制御情報の情報に基づき、前記第１時間領域スケジューリングユニットにおいて前記第２ダウンリンク制御情報を検出することを含むことを特徴とする
請求項２に記載の方法。
【請求項４】
前記第２ダウンリンク制御情報の情報は、前記第２ダウンリンク制御情報の検索空間、前記第２ダウンリンク制御情報のアグリゲーションレベル、前記第２ダウンリンク制御情報のリソース位置、前記第２ダウンリンク制御情報のサイズ、前記第２ダウンリンク制御情報のフォーマット、前記第２ダウンリンク制御情報を送受信するためのビーム情報及び前記第２ダウンリンク制御情報の擬似コロケーション情報のうちの少なくとも１つを含むことを特徴とする
請求項１〜３のいずれか１項に記載の方法。
【請求項５】
前記方法は、更に、
前記端末装置は、前記第２ダウンリンク制御情報の情報に基づき、前記第２ダウンリンク制御情報の数Ｎを確定し、Ｎを整数とし、Ｎ≦（Ｍ−１）であり、Ｍが、ネットワーク機器が前記端末装置に予め設定したダウンリンク制御情報の数であり、Ｍを正の整数とすることと、
Ｎが正の整数である場合、前記端末装置は、前記第１時間領域スケジューリングユニットにＮ個の前記第２ダウンリンク制御情報があることを知り、又は
Ｎが０である場合、前記端末装置は、前記第１時間領域スケジューリングユニットに前記第２ダウンリンク制御情報がないことを知ることと、を含むことを特徴とする
請求項１又は２に記載の方法。
【請求項６】
前記第２ダウンリンク制御情報の情報は、前記第２ダウンリンク制御情報の数Ｎ、又は送受信ノードから送信されたダウンリンク制御情報の数（Ｎ＋１）であり、前記送受信ノードから送信されたダウンリンク制御情報は、前記第１ダウンリンク制御情報及び前記第２ダウンリンク制御情報を含むことを特徴とする
請求項５に記載の方法。
【請求項７】
前記方法は、更に、
前記端末装置は、ネットワーク機器から送信された、前記第１時間領域スケジューリングユニットにおいて複数のダウンリンク制御情報を受信するように前記端末装置に指示するための指示情報を受信することを含むことを特徴とする
請求項１〜６のいずれか１項に記載の方法。
【請求項８】
前記第１ダウンリンク制御情報及び前記第２ダウンリンク制御情報は、異なる送受信ノードにより送信されたものであることを特徴とする
請求項１〜７のいずれか１項に記載の方法。
【請求項９】
無線通信方法であって、
第１送受信ノードは、第１時間領域スケジューリングユニットにおいて、第１ダウンリンク制御情報を端末装置に送信し、前記第１ダウンリンク制御情報が、前記端末装置の前記第１時間領域スケジューリングユニット内における検出待ちの第２ダウンリンク制御情報の情報を含み、前記第２ダウンリンク制御情報が、第２ダウンリンクデータに割り当てたダウンリンクリソースを示すことに用いられることを含むことを特徴とする、前記無線通信方法。
【請求項１０】
前記第２ダウンリンク制御情報の情報は前記第２ダウンリンク制御情報の検索空間、前記第２ダウンリンク制御情報のアグリゲーションレベル、前記第２ダウンリンク制御情報のリソース位置、前記第２ダウンリンク制御情報のサイズ、前記第２ダウンリンク制御情報のフォーマット、前記第２ダウンリンク制御情報を送受信するためのビーム情報及び前記第２ダウンリンク制御情報の擬似コロケーション情報のうちの少なくとも１つを含むことを特徴とする
請求項９に記載の方法。
【請求項１１】
前記第２ダウンリンク制御情報の情報は、前記第２ダウンリンク制御情報の数Ｎ、又は少なくとも１つの送受信ノードから送信されたダウンリンク制御情報の数（Ｎ＋１）であり、前記少なくとも１つの送受信ノードは前記第１送受信ノードを含み、Ｎを整数とし、Ｎ≦（Ｍ−１）であり、Ｍが、ネットワーク機器が前記端末装置に予め設定したダウンリンク制御情報の数であり、Ｍを正の整数とすることを特徴とする
請求項９に記載の方法。
【請求項１２】
前記第２ダウンリンク制御情報は、第２送受信ノードにより送信されたものであることを特徴とする
請求項９〜１１のいずれか１項に記載の方法。
【請求項１３】
端末装置であって、
請求項１〜８のいずれか１項に記載の無線通信方法を実行するように構成されることを特徴とする、前記端末装置。
【請求項１４】
送受信ノードであって、
請求項９〜１２のいずれか１項に記載の無線通信方法を実行するように構成される、ことを特徴とする、前記送受信ノード。
【国際調査報告】
2020519080.tif 000010
2020519080.tif 000011
2020519080.tif 000012
2020519080.tif 000013